(57)【要約】【課題】  ビルディング、地下街等において、非常時に人を避難誘導する場合等に、警告／誘導をより明確に表示することができ、きわめて簡易に設置することができる非常用信号灯及び非常用信号灯システムを実現する。【解決手段】  非常用信号灯を、発光ダイオードを用いた表示部と、制御信号を受信する無線受信機と一次電池を用いた電源部とから構成し、配線を不要とする。送信部は、複数設置される前記非常用信号灯に対し、表示部の発光パターンを切換えさせる制御信号を発信する。【選択図】  図１
2006252492.tif 000002
【特許請求の範囲】
【請求項１】
発光ダイオードを用い、少なくとも２種類の発光パターンを有する表示部と、制御信号を受信する無線受信機を有し、前記表示部の発光パターンの切換えを行なう制御部と、一次電池によって前記表示部及び制御部に電源を供給する電源部とからなる非常用信号灯。
【請求項２】
請求項１において、
制御部が、制御信号からその信号灯への信号のみを識別する識別機能を有する非常用信号灯。
【請求項３】
請求項２において、
制御部が、無線ページャ、携帯電話等の公共無線通信を用いる非常用信号灯。
【請求項４】
請求項１または２の非常用信号灯と、火災、煙、停電等を感知して、前記非常用信号灯に対し、表示部の発光パターンを切換えさせる制御信号を発信し、かつ周波数、送信出力及び／又はアンテナの指向性により、選択した非常用信号灯へ送信するように設定された送信部とから構成される非常用信号灯システム。
【請求項５】
請求項１または２の非常用信号灯と、火災、煙、停電等を感知して、前記非常用信号灯に対し、表示部の発光パターンを切換えさせる制御信号を発信し、かつ識別機能を用いて、選択した非常用信号灯のみを作動させるように設定された送信部とから構成される非常用信号灯システム。
【発明の詳細な説明】
【技術分野】
【０００１】  本発明は、ビルディング、地下街等において、災害時に人を避難誘導することができる非常用信号灯及び非常用信号灯システムに関する。
【背景技術】
【０００２】  発光ダイオードを用いた表示部と、制御信号を受信する無線受信機と太陽電池及び二次電池を用いた電源部から構成される路側信号灯及び路側信号灯システムが、本件発明者により提案されている（特許文献１参照）。しかし、この装置においては太陽電池を使用するため、屋内での使用は困難である。【０００３】
【特許文献１】特願２００３−３２１１３４
【発明の開示】
【発明が解決しようとする課題】
【０００４】  そこで本発明は、ビルディング、地下街等、主に屋内において、非常時に人を避難誘導する場合等に、警告／誘導をより明確に表示することができ、きわめて簡易に設置することができ、かつ独立した電源を有するため非常時に確実に作動する非常用信号灯を実現することを目的としたものである。さらに、この非常用信号灯を用いて、より簡易にシステム全体を構成することができるようにすることをも目的としている。
【課題を解決するための手段】
【０００５】  本発明は、発光ダイオードを用いて、少なくとも２種類の発光パターンを有する表示部と、制御信号を受信する無線受信機を有し、前記表示部の発光パターンの切換えを行なう制御部と、一次電池によって前記表示部及び制御部に電源を供給する電源部とからなる非常用信号灯である。【０００６】  さらに、この制御部は、制御信号からその信号灯への信号のみを識別する識別機能を有するものとしてもよい。そして、この制御部は、無線ページャ、携帯電話等の公共無線通信を用いるようにすることもできる。【０００７】  本発明は、上記非常用信号灯と、火災、煙、停電等を感知して、前記非常用信号灯に対し、表示部の発光パターンを切換えさせる制御信号を発信し、かつ周波数、送信出力及び／又はアンテナの指向性により選択した非常用信号灯へ送信するように設定された送信部とから構成される非常用信号灯システムを包含する。【０００８】  さらに本発明は、上記非常用信号灯と、火災、停電等を感知して、前記非常用信号灯に対し、表示部の発光パターンを切換えさせる制御信号を発信し、かつ識別機能を用いて、選択した非常用信号灯のみを作動させるように設定された送信部とから構成される非常用信号灯システムを包含する。
【発明の効果】
【０００９】  本発明の非常用信号灯は、発光部に発光ダイオードを用い、電源に一次電池を用い、制御信号を無線により受信するため、配線を皆無とすることができ、設置、維持はきわめて簡易となる。【００１０】  さらに、制御部が識別機能を有するものとすると、多数の非常用信号灯を設置しても、それぞれをきめ細かく多様に作動させることができる。また、無線ページャ、携帯電話等の公共無線通信を用いると、周波数割り当てを得たり、無線局を開設するための煩雑な手続きが不要となり、かつ無線機自体に量産されている安価なものが使用できるので、本発明の実施が著しく容易となる。
【発明を実施するための最良の形態】
【００１１】以下に、本発明の実施例について詳しく説明する。
【実施例１】
【００１２】  図１，２に本発明の非常用信号灯１０を示し、図２に複数の非常用信号灯１０，…を用いて構成された本発明の第１実施例の非常用信号灯システム２０を示す。【００１３】  この非常用信号灯１０は、正面に発光ダイオードを用いた表示部１１を有する。この表示部１１は、消灯状態、橙色点滅状態、赤色点滅状態の３種類の発光パターンを有し、これらは平常時、誘導、警告にそれぞれ対応する。非常用信号灯内には制御信号を受信する無線受信機を有し、前記表示部１１の前記発光パターンを切換えさせる制御部（図示しない）が内蔵されている。さらに電池蓋１２を有し、かつ内部に一次電池（図示しない）を有し、前記表示部１１及び制御部に電源を供給する電源部が設けられている。なお、電池蓋１２を含め、防水構造とすることが望ましい。【００１４】  なお、前記発光パターンは容易に識別できるものであれば任意である。【００１５】  この非常用信号灯システム２０では、複数の非常用信号灯１０，…が通路に沿って、壁面に取付けて設置される。【００１６】  これらの非常用信号灯１０，…の付近に、送信部２１が設置される。この送信部２１は火災、煙、停電等を感知するセンサを有し、これらを感知したとき、非常用信号灯１０，…へ表示部の発光パターンを切換えさせる制御信号を発信する。この発信される電波は、周波数、送信出力及び／又はアンテナの指向性により選択した所定の非常用信号灯１０，…のみへ送信するように設定されている。【００１７】  なお、この送信部２１において、センサの具体的構成は任意である。また、既存の火災報知器、煙感知器等と連動させることも可能である。【００１８】  したがって、この非常用信号灯システム２０では、送信部２１で火災、煙、停電等を感知すると、付近に位置する非常用信号灯１０，…が警告時の発光パターンとなり、警告を伝達することができる。【００１９】  上記非常用信号灯システム２０では、送信部２１は発信する電波の周波数、送信出力及び／又はアンテナの指向性により、制御すべき非常用信号灯１０，…を選択しているが、制御部が、制御信号からその非常用信号灯への信号のみを識別する識別機能を有する非常用信号灯を用い、送信部が、この識別機能を用いて選択した非常用信号灯のみに作動をさせるようにすることも可能である。【００２０】  さらに、上記非常用信号灯システム２０において、上記制御信号により、非常用信号灯１０，…を連動して順番に作動させ、避難方向を示し、誘導することも可能である。
【実施例２】
【００２１】  図３に本発明の第２実施例の非常用信号灯３０，…及びこれを用いて構成された本発明の第２実施例の非常用信号灯システム４０を示す。【００２２】  この非常用信号灯３０は前記非常用信号灯１０と同様であるが、付近に送信部を設置せず任意の管理者の無線による遠隔操作によって制御を行なうため、制御信号からその非常用信号灯への信号のみを識別する識別機能を有するものとなる。【００２３】  この非常用信号灯システム４０は、前記非常用信号灯システム２０の送信部２１の代替として、管理者４１の無線通信による遠隔操作を行なうものである。【００２４】  したがってこの非常用信号灯システム４０では、災害時に管理者が無線通信によって遠隔操作を行なうことで、より適切な避難誘導が可能となる。無線通信は特定小電力無線、業務用無線や、無線ページャ、携帯電話等の公共無線通信を用いることができる。
【図面の簡単な説明】
【００２５】
【図１】本発明の第１実施例の非常用信号灯の斜視図である。
【図２】本発明の第１実施例の非常用信号灯システムの説明図である。
【図３】本発明の第２実施例の非常用信号灯システムの説明図である。
【符号の説明】
【００２６】  １０    非常用信号灯
１１    表示部
１２    電池蓋
２０    非常用信号灯システム
２１    送信部
３０    非常用信号灯
３１    表示部
３２    電池蓋
４０    非常用信号灯システム
４１    管理者
【図１】
2006252492.tif 000003
【図２】
2006252492.tif 000004
【図３】
2006252492.tif 000005